(57)【特許請求の範囲】
【請求項１】
建物から外側に張出しているバルコニー床を支持するバルコニー床の支持構造であって、
前記バルコニー床には手摺壁が固定されており、この手摺壁が建物の躯体を構成する外壁に固定され、該手摺壁によって前記バルコニー床が上方から吊持されるようにして支持されており、
前記バルコニー床の前端縁部下面には、垂れ壁が固定されており、この垂れ壁と前記手摺壁とが、前記バルコニー床を上下に挿通されたボルトによって結合されていることを特徴とするバルコニー床の支持構造。
【請求項２】
請求項１に記載のバルコニー床の支持構造において、
前記手摺壁は、建築用壁パネルによって構成され、この建築用壁パネルの側端部が、建物の躯体にボルト締結によって固定されていることを特徴とするバルコニー床の支持構造。
【発明の詳細な説明】
【技術分野】
【０００１】
本発明は、建物から外側に張出しているバルコニー床を支持するバルコニー床の支持構造に関する。
【背景技術】
【０００２】
近年、住宅の構築については、部材の工場生産化が進み、例えば、壁、床、屋根等のような構成部材を予め工場においてパネルとして製造し、これらのパネルを現場で組み立てることによって住宅を構築する、いわゆるパネル工法が採用されている。ところで、このような工法を用いて外壁から張出してなるバルコニーを形成する場合には、床パネルで構成されたバルコニー床を片持ちとなるように住宅の外壁から張出して躯体に固定する方法が一般に採用されている（例えば、特許文献１参照。）。
【特許文献１】特開平１１−３６７２３号公報
【発明の開示】
【発明が解決しようとする課題】
【０００３】
ところで、前記公報に記載の建物においては、張出しているバルコニー床の荷重が、このバルコニー床の基端部に位置する床パネルや壁パネルに集中しやすい。したがって、バルコニー床の張出し長さを長くすると、このバルコニー床の基端部に位置する床パネルや壁パネル等の構成部材において、許容せん断応力や許容曲げモーメントを超えてしまう場合があるので、バルコニー床を片持ち状態で支持するだけでは、バルコニー床の張出し長さを長くするのに限界がある。
【０００４】
本発明は上記事情に鑑みてなされたもので、バルコニー床の張出長さを長くしても、バルコニー床を確実かつ安定的に支持できるバルコニー床の支持構造を提供することを目的としている。
【課題を解決するための手段】
【０００５】
上記目的を達成するために、請求項１に記載の発明は、例えば図１および図２に示すように、建物から外側に張出しているバルコニー床１を支持するバルコニー床の支持構造であって、
前記バルコニー床１には手摺壁１０が固定されており、この手摺壁１０が建物の躯体を構成する外壁４に固定され、該手摺壁１０によって前記バルコニー床１が上方から吊持されるようにして支持されており、
前記バルコニー床１の前端縁部下面には、垂れ壁１６が固定されており、この垂れ壁１６と前記手摺壁１０とが、前記バルコニー床１を上下に挿通されたボルトによって結合されていることを特徴とする。
【０００６】
請求項１に記載の発明によれば、バルコニー床１に固定された手摺壁１０が、躯体を構成する外壁４に固定されることによって、該手摺壁１０によってバルコニー床１が上方から吊持されるようにして支持されているので、従来に比してバルコニー床１の張出し長さを長くしても、バルコニー床１を確実かつ安定的に支持できる。
また、垂れ壁１６と手摺壁１０とが、バルコニー床１を上下に挿通されたボルトによって結合されているので、手摺壁１０をバルコニー床１に強固に固定できる。
【０００７】
請求項２に記載の発明は、請求項１に記載のバルコニー床の支持構造において、
前記手摺壁１０は、建築用壁パネル１１によって構成され、この建築用壁パネル１１の側端部が、建物の躯体（外壁４）にボルト締結（連結ボルト１２とナット１３）によって固定されていることを特徴とする。
【０００８】
請求項２に記載の発明によれば、建築用壁パネル１１を建物の躯体にボルト締結によって固定したので、この建築用壁パネル１１は躯体に片持ち状態で強固に連結され、この建築用壁パネル１１にバルコニー床１が固定されているので、バルコニー床１をより確実かつ安定的に支持できる。
【発明の効果】
【０００９】
本発明によれば、バルコニー床には手摺壁が固定されており、この手摺壁が建物の躯体を構成する外壁に固定され、該手摺壁によってバルコニー床が上方から吊持されるようにして支持されているので、従来に比してバルコニー床１の張出し長さを長くしても、バルコニー床１を確実かつ安定的に支持できる。また、垂れ壁１６と手摺壁１０とが、バルコニー床１を上下に挿通されたボルトによって結合されているので、手摺壁１０をバルコニー床１に強固に固定できる。
【発明を実施するための最良の形態】
【００１０】
以下、図面を参照して本発明の実施の形態について説明する。
図１および図２は、第１の実施の形態を示す図である。これらの図において符号１はバルコニー床を示す。このバルコニー床１は、複数の建築用床パネル２を並設するとともに、隣り合う建築用床パネル２，２どうしを接合することによって構成されたものである。建築用床パネル２は、框材２ａを矩形枠状に組立て、この矩形枠内に補強桟材を組み付けるとともに、矩形枠の上面に合板等からなる面材２ｂを取り付けたものである。
【００１１】
バルコニー床１を構成する建築用床パネル２の基端部は、図示は省略するが建物内の壁パネルやまぐさ等の上面に設置され、スクリュー釘等によって固定されている。また、床パネル２の長さ方向における中間部は建物の１階の外壁３上に設置されており、この外壁３上には床パネル２を挟んで２階の外壁４が設置されている。外壁３，４はそれぞれ複数の建築用外壁パネル５を並設するとともに、隣り合う建築用外壁パネル５，５どうしを接合することによって構成されたものである。建築用外壁パネル５は框材５ａを矩形枠状に組立て、この矩形枠内に補強桟材を組み付けるとともに、矩形枠の両面に合板等からなる面材５ｂを取り付けたものである。
そして、床パネル２の中間部は、外壁３，４をそれぞれ構成する上下の建築用外壁パネル５，５に挟まれた状態で、連結ボルト６とナット７によって外壁パネル５，５に固定されている。
【００１２】
バルコニー床１の前端縁部と側端縁部とには、手摺壁１０が立設されこの手摺壁１０はバルコニー床１に強固に固定されている。手摺壁１０は、複数の建築用壁パネル１１を並設するとともに隣り合う建築用壁パネル１１，１１どうしを接合することによって構成されたものである。
建築用壁パネル１１は框材１１ａを矩形状に組立て、この矩形枠の両面に合板等からなる面材１１ｂを取り付けたものである。建築用壁パネル１１をバルコニー床１に固定するには、建築用壁パネル１１の下面とバルコニー床１の上面とを接着剤によって接着するとともに、建築用壁パネル１１からバルコニー床１にスクリュー釘を打ち込むことによって行われる。
また、バルコニー床１の前端縁部下面には、垂れ壁１６が固定されている。この垂れ壁１６は、矩形枠とこの矩形枠の両面に取り付けられた合板等からなる面材とで構成されている。この垂れ壁１６と手摺壁１０とは、バルコニー床１を上下に挿通された図示しないボルトとナットによって結合され、これによっても、手摺壁１０がバルコニー床１に強固に固定されている。
【００１３】
手摺壁１０を構成する建築用壁パネル１１のうち、バルコニー床１の側端縁部に固定された建築用壁パネル１１は、建物の躯体を構成する外壁４に固定されている。すなわち、建築用壁パネル１１の側端面は、外壁４を構成する外壁パネル５の表面に当接されており、建築用壁パネル１１の側端面と、外壁４を構成する外壁パネル５の表面とは接着剤によって接着されている。さらに、外壁パネル５には、その上下端部において連結ボルト１２が挿通されており、この連結ボルト１２の一端部は、建築用壁パネル１１内に挿入され、この一端部にはナット１３が螺合されている。一方、連結ボルト１２の他端部は、外壁４と直交して連結された外壁１５に挿入され、この他端部にもナット１３が螺合されている。そして、これらナット１３，１３を締め付けることによって、手摺壁１０を構成する建築用壁パネル１１が外壁４に固定されている。
このようにして、手摺壁１０によってバルコニー床１が上方から吊持されるようにして支持されている。
【００１４】
なお、連結ボルト１２を挿入したり、ナット１３，１３を螺合して締め付けるには、外壁４や外壁１５を構成する建築用壁パネルの面材に穴を開けておき、この穴から連結ボルト１２を挿入したうえで、ナット１３，１３を螺合して締め付ければよい。また、この穴は建築用壁パネルに外装材を取り付けるので、最終的には塞がれる。
【００１５】
本実施の形態の形態によれば、バルコニー床１に固定された手摺壁１０が、躯体を構成する外壁４に固定されることによって、手摺壁１０によってバルコニー床１が上方から吊持されるようにして支持されているので、従来に比してバルコニー床１の張出し長さを長くしても、バルコニー床１を確実かつ安定的に支持できる。
また、手摺壁１０を構成する建築用壁パネル１１を外壁４にボルト締結（連結ボルト１２とナット１３）によって固定したので、この建築用壁パネル１１は外壁４に片持ち状態で強固に連結され、この建築用壁パネル１１にバルコニー床１が固定されているので、バルコニー床１をより確実かつ安定的に支持できる。
【図面の簡単な説明】
【００１６】
【図１】本発明のバルコニー床の支持構造の一例を示すもので、その側断面図である。
【図２】同、斜視図である。
【符号の説明】
【００１７】
１  バルコニー床
４  外壁（躯体）
１０  手摺壁
１１  建築用壁パネル
１２  連結ボルト
１３  ナット
【図１】
0004625821.tif 000002
【図２】
0004625821.tif 000003